(57)【要約】【課題】用途や目的に応じた定着制御を行う。【解決手段】ＣＰＵは、操作表示部で受け付けられた第１の優先モードに基づく優先モード情報を取得する（Ｓ１００）。続けて、各温度センサから各発熱体の温度をそれぞれ取得した後（Ｓ１１０）、取得した各発熱体の現在の温度と目標温度との差分値を算出する（Ｓ１２０）。次に、算出した温度の差分値に基づいて各発熱体の現在の温度を目標温度に近づける場合に必要となる目標消費電力量を決定し（Ｓ１３０）、決定した目標消費電力量に対して各発熱体への供給電力量を制御するためのオン／オフパターンを制御テーブルから複数選択する（Ｓ１４０）。最後に、選択した複数のオン／オフパターンの中から、最も電力効率が高くなる組み合わせとなるオン／オフパターンを選択して設定し（Ｓ１５０）、設定したオン／オフパターンに基づいて各発熱体の交流電流の通電／非通電を制御する。【選択図】図４
2015011313.tif 000002
【特許請求の範囲】
【請求項１】
用紙に担持される未定着現像材を熱定着させる複数の発熱体を有する定着部と、
複数の前記発熱体の温度を検出する温度検出部と、
半波単位または全波単位での通電／非通電の比率である通電比率に応じて前記発熱体に供給する電力量を制御するための複数のオン／オフパターンを有するテーブルと、
定着制御に関する優先モードを有し、選択される前記優先モードに応じて前記発熱体毎に独立して定着制御を行う制御部と、備え、
前記制御部は、前記温度検出部により検出された温度と前記定着部における目標温度とに基づいて決定される目標電力量に対して、選択された前記優先モードに応じた前記発熱体のオン／オフパターンを前記テーブルを用いて選択し、当該選択した前記オン／オフパターンに基づいて前記発熱体のオン／オフを制御する
ことを特徴とする画像形成装置。
【請求項２】
前記優先モードは、前記定着部に供給する電力効率が最も高くなる組み合わせとなる前記発熱体のオン／オフパターンを選択するモードである
ことを特徴とする請求項１に記載の画像形成装置。
【請求項３】
前記優先モードは、前記定着部に電力供給する際に最もフリッカが低くなる組み合わせとなる前記発熱体のオン／オフパターンを選択するモードである
ことを特徴とする請求項１に記載の画像形成装置。
【請求項４】
前記優先モードは、前記定着部に電力供給する際のフリッカが規格内であってかつ電力効率が高い組み合わせとなる前記発熱体のオン／オフパターンを選択するモードである
ことを特徴とする請求項１に記載の画像形成装置。
【請求項５】
前記制御部は、前記目標電力量に基づいて前記発熱体のオン／オフパターンを前記テーブルから複数選択し、選択した複数の前記オン／オフパターンの中から前記優先モードに応じたオン／オフパターンを前記発熱体のオン／オフパターンとして設定する
ことを特徴とする請求項１から請求項４の何れか一項に記載の画像形成装置。
【発明の詳細な説明】
【技術分野】
【０００１】
本発明は、画像形成装置に関する。
【背景技術】
【０００２】
従来から、画像形成装置においては、ヒータに対する単位時間当たりの交流電源の通電比率を制御することで定着装置の温度制御を行っている。具体的には、１半波単位でのオン／オフの比率によって単位時間当たりの発熱体への供給電力量を制御するオン／オフパターンが設定された制御テーブルを用い、この制御テーブルから目標消費電力に対して最適なオン／オフパターンを選択することにより定着装置の温度を高精度に制御している。
【０００３】
また、定着装置としては、フリッカ等を防止するために複数の発熱体を備えたものが開発されている。例えば、特許文献１には、複数の発熱体への供給電力の比率を常に一定とするのではなく、全発熱体への通電比率毎に各発熱体への供給電力の比率を各発熱体に対して単位時間当たり正負対称になるように変えることにより、長い通電時間で見たときに、各発熱体への通電電力を正負対称とする定着装置が記載されている。
【先行技術文献】
【特許文献】
【０００４】
【特許文献１】特開２００６−７２２３５号公報
【発明の概要】
【発明が解決しようとする課題】
【０００５】
しかしながら、上記特許文献１に開示される定着装置では、以下のような問題がある。すなわち、上記特許文献１の定着装置では、各通電比率に対して各発熱体に供給する電流波形（オン／オフパターン）は一つのパターンとなっており、複数の発熱体への電力供給配分として異なる複数のオン/オフパターンは設けられていない。そのため、電力効率を優先して複数の発熱体を制御したい場合や、フリッカを優先して複数の発熱体を制御したい場合、電力効率およびフリッカの双方を優先して発熱体を制御したい場合において、用途や目的（優先内容）に応じた定着装置の電力制御を行うことができないという問題がある。
【０００６】
そこで、本発明は、上記課題に鑑みてなされたものであり、その目的は、用途や目的に応じた定着制御を行うことが可能な画像形成装置を提供することにある。
【課題を解決するための手段】
【０００７】
本発明に係る画像形成装置は、上記課題を解決するために、用紙に担持される未定着現像材を熱定着させる複数の発熱体を有する定着部と、複数の発熱体の温度を検出する温度検出部と、半波単位または全波単位での通電／非通電の比率である通電比率に応じて発熱体に供給する電力量を制御するための複数のオン／オフパターンを有するテーブルと、定着制御に関する優先モードを有し、選択される優先モードに応じて発熱体毎に独立して定着制御を行う制御部と、備え、制御部は、温度検出部により検出された温度と定着部における目標温度とに基づいて決定される目標電力量に対して、選択された優先モードに応じた発熱体のオン／オフパターンをテーブルを用いて選択し、当該選択したオン／オフパターンに基づいて発熱体のオン／オフを制御するものである。
【発明の効果】
【０００８】
本発明によれば、定着制御に関する優先モードの条件を満たす発熱体のオン／オフパターンを選択することができるので、使用者の用途や目的に応じた定着制御を行うことができる。
【図面の簡単な説明】
【０００９】
【図１】本発明の第１の実施の形態に係る画像形成装置の構成例を示す図である。
【図２】定着部を含む画像形成装置の回路構成例を示す図である。
【図３】制御テーブルの構成例を示す図である。
【図４】電力効率を優先する定着制御を行う場合の画像形成装置の動作例を示すフローチャートである。
【図５】目標消費電力量に対する各発熱体のデューティー比の組み合わせにおけるトータル電力効率を説明するための図である。
【図６】フリッカを優先する定着制御を行う場合の画像形成装置の動作例を示すフローチャートである。
【図７】目標消費電力量に対する各発熱体のデューティー比の組み合わせにおけるトータルフリッカを説明するための図である。
【図８】フリッカが規格内であってかつ電力効率の高い定着制御を行う場合の画像形成装置の動作例を示すフローチャートである。
【図９】目標消費電力量に対する各発熱体のデューティー比の組み合わせにおけるトータルの電力効率およびフリッカを説明するための図である。
【図１０】本発明の第２の実施の形態に係る定着制御を行う場合に用いられる制御テーブルの構成例を示す図である。
【図１１】電力効率を優先する定着制御を行う場合の画像形成装置の動作例を示すフローチャートである。
【図１２】フリッカを優先する定着制御を行う場合の画像形成装置の動作例を示すフローチャートである。
【図１３】フリッカが規格内であってかつ電力効率の高い定着制御を行う場合の画像形成装置の動作例を示すフローチャートである。
【発明を実施するための形態】
【００１０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。また、図面の寸法比率は、説明の都合上拡張されており、実際の比率と異なる場合がある。
【００１１】
［画像形成装置の構成例］
本発明に係る画像形成装置１００は、定着部２００の定着制御に関して、発熱体２１０，２２０を目標消費電力量に調整する通常の定着モードの他に、ユーザの選択に応じて第１の優先モード、第２の優先モードおよび第３の優先モードを実行する。第１の優先モードは、電力効率が最も高くなる組み合わせとなるように発熱体２１０，２２０のオン／オフパターンを選択するモードである。第２の優先モードは、発熱体２１０，２２０に電力を供給する際にフリッカが最も低くなる組み合わせとなるように発熱体２１０，２２０のオン／オフパターンを選択するモードである。第３の優先モードは、発熱体２１０，２２０に電力を供給する際にフリッカが規定値内であってかつ電力効率が最も高くなる組み合わせとなるように発熱体２１０，２２０のオン／オフパターンを選択するモードである。
【００１２】
画像形成装置１００は、定着部２００の定着制御を行う場合に、目標消費電力量に対して発熱体２１０，２２０に供給する交流電流のオン／オフパターンを複数選択した後、選択した複数のオン／オフパターンの中から上記優先モードに応じた各発熱体２１０，２２０へのオン／オフパターンを設定することにより、ユーザの用途や目的に応じた定着制御を行うことを可能としている。
【００１３】
図１は、本発明に係る画像形成装置１００の構成の一例を示している。図１に示すように、画像形成装置１００は、タンデム型の画像形成装置と称されるものであり、自動原稿搬送部８０と、装置本体１０２とを備えている。装置本体１０２は、操作表示部７０と、画像読取部９０と、画像形成部１０と、中間転写ベルト８と、給紙部２０と、定着部２００と、自動用紙反転搬送ユニット６０（Auto Duolex Unit：以下ＡＤＵという）とを有している。
【００１４】
自動原稿搬送部８０は、装置本体１０２の上部に取り付けられ、搬送台上にセットされた用紙を搬送ローラー等により装置本体１０２の画像読取部９０に送り出す。操作表示部７０は、タッチパネルと、タッチパネルの周辺部に設けられた複数のボタンとから構成されている。操作表示部７０は、特定の優先モードを選択するためのアイコン等を含む操作画面を表示したり、操作画面において選択された優先モード情報や紙種、用紙サイズ等の画像形成条件を受け付けたりする。
【００１５】
画像読取部９０は、原稿台上に載置された原稿を走査露装置の光学系により走査露光し、ＣＣＤ(Charge Coupled Devices)イメージセンサにより走査した原稿の画像を光電変換して画像情報信号を生成する。画像情報信号は、図示しない画像処理部によりアナログ処理、アナログ／ディジタル（以下Ａ／Ｄという）変換処理、シューディング補正、画像圧縮処理等行われた後に、画像形成部１０に出力される。
【００１６】
画像形成部１０は、電子写真方式により画像を形成するものであり、イエロー（Ｙ）色の画像を形成する画像形成ユニット１０Ｙと、マゼンタ（Ｍ）色の画像を形成する画像形成ユニット１０Ｍと、シアン（Ｃ）色の画像を形成する画像形成ユニット１０Ｃと、黒（Ｋ）色の画像を形成する画像形成ユニット１０Ｋとを有している。この例では、それぞれ共通する機能名称、例えば、符号１０の後ろに形成する色を示すＹ，Ｍ，Ｃ，Ｋを付して表記する。
【００１７】
画像形成ユニット１０Ｙは、感光体ドラム１Ｙと、その周囲に配置される帯電部２Ｙ、露光部（光書込み部）３Ｙ、現像部４Ｙおよびクリーニング部６Ｙを有している。画像形成ユニット１０Ｍは、感光体ドラム１Ｍと、その周囲に配置される帯電部２Ｍ、露光部３Ｍ、現像部４Ｍおよびクリーニング部６Ｍを有している。画像形成ユニット１０Ｃは、感光体ドラム１Ｃと、その周囲に配置される帯電部２Ｃ、露光部３Ｃ、現像部４Ｃおよびクリーニング部６Ｃを有している。画像形成ユニット１０Ｋは、感光体ドラム１Ｋと、その周囲に配置される帯電部２Ｋ、露光部３Ｋ、現像部４Ｋおよびクリーニング部６Ｋを有している。
【００１８】
画像形成ユニット１０Ｙ，１０Ｍ，１０Ｃ，１０Ｋにおけるそれぞれの感光体ドラム（像担持体）１Ｙ，１Ｍ，１Ｃ，１Ｋ、帯電部２Ｙ，２Ｍ，２Ｃ，２Ｋ、露光部３Ｙ，３Ｍ，３Ｃ，３Ｋ、現像部４Ｙ，４Ｍ，４Ｃ，４Ｋ、クリーニング部６Ｙ，６Ｍ，６Ｃ，６Ｋは、それぞれ共通する内容の構成である。以下、特に、区別が必要な場合を除き、Ｙ，Ｍ，Ｃ，Ｋを付さずに表記することとする。
【００１９】
帯電部２は、感光体ドラム１の表面をほぼ一様に帯電する。露光部３は、例えばＬＥＤアレイと結像レンズとを有するＬＰＨ（LED Print Head）や、ポリゴンミラー方式のレーザー露光走査装置により構成され、画像情報信号に基づいて感光体ドラム１上をレーザー光により走査して静電潜像を形成する。現像部４は、感光体ドラム１上に形成された静電潜像をトナーにより現像する。これにより、感光体ドラム１上に可視画像であるトナー像が形成される。
【００２０】
中間転写ベルト８は、複数のローラーにより張架されると共に走行可能に支持されている。一次転写ローラーが動作すると、中間転写ベルト８が走行し、中間転写ベルト８の画像転写位置に各感光体ドラム１に形成されたトナー像が転写される（一次転写）。
【００２１】
給紙部２０は、Ａ３やＡ４等の用紙Ｐが収容された複数の給紙トレイ２０Ａ，２０Ｂを有している。各給紙トレイ２０Ａ，２０Ｂから搬送ローラー２２，２４，２６，２８等によって搬送された用紙Ｐは、ループ作成ローラー３０を経由してレジストローラー３２に搬送される。なお、給紙トレイの数は３つに限定されるものではない。また、必要に応じて大容量の用紙Ｐを収容することが可能な大容量給紙装置を単数または複数連結させても良い。
【００２２】
レジストローラー３２は、駆動ローラーおよび従動ローラーを有し、ループ作成ローラー３０によって用紙Ｐの先端が突き当てられることでループを形成して用紙Ｐの斜行を補正する。用紙Ｐは所定のタイミングで二次転写部３４に搬送される。二次転写部３４では、中間転写ベルト８の画像形成位置に転写されたカラー画像が、給紙部２０から搬送されてくる用紙Ｐの表面に一括転写される（２次転写）。２次転写された用紙Ｐは定着部２００に搬送される。
【００２３】
定着部２００は、二次転写部３４よりも用紙搬送方向の下流側に設けられ、加圧ローラーと加熱ローラーとを有している。定着部２００は、二次転写部３４でトナー像が転写された用紙Ｐに加圧、加熱処理を行うことにより用紙Ｐ表面の未定着のトナー像（現像材）を用紙Ｐに熱定着させる。
【００２４】
定着部２００の用紙搬送方向の下流側には、用紙Ｐの搬送経路を排紙経路側またはＡＤＵ６０側に切り替えるための搬送路切替部４８が設けられている。搬送路切替部４８は、例えばソレノイドやモータ等から構成され、選択されている印刷モード（片面印刷モード、両面印刷モード等）に基づいて搬送経路の切り替え制御を行う。
【００２５】
片面印刷モードで片面の印刷が終了した用紙Ｐ、または、両面印刷モードで両面の印刷が終了した用紙Ｐは、定着部２００で定着処理が施された後、定着部２００よりも用紙搬送方向の下流側に設けられた排紙ローラー４６により排紙トレイ上に排出される。
【００２６】
また、両面印刷モードで用紙Ｐを画像形成部１０に再給紙する場合、表面側に画像が形成された用紙Ｐは、搬送路切替部４８を経由してＡＤＵ６０に搬送される。ＡＤＵ６０に搬送された用紙Ｐは、搬送ローラー６２等を介してスイッチバック経路に搬送される。スイッチバック経路では、ＡＤＵローラー６４の逆回転制御により用紙Ｐの後端を先頭にしてＵターン経路部に搬送され、Ｕターン経路部に設けられた搬送ローラー６６，６８等によりレジストローラー３２に用紙Ｐの表裏反転された状態で再給紙される。レジストローラー３２に再給紙された用紙Ｐは、用紙Ｐの表面側の場合と同様の画像形成処理が行われる。画像形成部１０により裏面に画像が転写された用紙Ｐは、定着部２００で定着処理が行われた後に、搬送路切替部４８および排紙ローラー４６を介して排紙トレイ上に排出される。
【００２７】
［定着部の回路（ブロック）構成例］
次に、画像形成装置１００の回路構成例について説明する。図２は、主に定着部２００を含む画像形成装置１００の回路構成の一例を示している。図２に示すように、画像形成装置１００は、交流電源３００と、定着部２００と、ＣＰＵ５０と、メモリ５２とを備えている。定着部２００は、発熱体２１０，２２０と、温度センサ２３０，２４０と、スイッチ２５０，２６０とを有している。
【００２８】
温度センサ２３０は、例えばサーミスタから構成され、発熱体２１０に取り付けられている。温度センサ２３０は、発熱体２１０の温度を検出し、検出により得られた温度情報Ｔ１をＣＰＵ５０に供給する。なお、温度センサ２３０は、温度検出部の一例を構成している。
【００２９】
温度センサ２４０は、例えばサーミスタから構成され、発熱体２２０に取り付けられている。温度センサ２３０は、発熱体２２０の温度を検出し、検出により得られた温度情報Ｔ２をＣＰＵ５０に供給する。なお、温度センサ２４０は、温度検出部の一例を構成している。
【００３０】
ＣＰＵ５０は、温度センサ２３０，２４０により検出された発熱体２１０，２２０の温度情報Ｔ１，Ｔ２に基づいて目標消費電力を決定する。ＣＰＵ５０は、決定した目標消費電力に対して、発熱体２１０，２２０に供給する交流電流の候補となるオン／オフパターンを制御テーブルＴＢから複数選択し、選択した複数のオン／オフパターンの中から優先モードの条件を満たすオン／オフパターンを設定する。
【００３１】
ＣＰＵ５０は、設定した各発熱体２１０，２２０に対するオン／オフパターンに基づく制御信号Ｓａ，Ｓｂを生成し、生成した制御信号Ｓａをスイッチ２５０に供給すると共に制御信号Ｓｂをスイッチ２６０に供給する。このように、ＣＰＵ５０は、複数の発熱体２１０，２２０に供給する交流電源入力に対する通電／非通電を発熱体２１０，２２０毎に独立して半波単位もしくは全波単位のオン／オフパターンにより制御する。なお、ＣＰＵ５０は、制御部の一例を構成している。
【００３２】
スイッチ２５０は、ＣＰＵ５０に接続されると共に発熱体２１０に接続され、ＣＰＵ５０から供給される制御信号Ｓａに基づいてオン／オフすることにより発熱体２１０への交流電源の通電／非導通を制御する。例えばスイッチ２５０は、ＣＰＵ５０からハイレベルの制御信号Ｓａが供給されるとオンして発熱体２１０に交流電流を流す。
【００３３】
スイッチ２６０は、ＣＰＵ５０に接続されると共に発熱体２２０に接続され、ＣＰＵ５０から供給される制御信号Ｓｂに基づいてオン／オフすることにより発熱体２２０への交流電源の通電／非導通を制御する。例えばスイッチ２６０は、ＣＰＵ５０からハイレベルの制御信号Ｓｂが供給されるとオンして発熱体２２０に交流電流を流す。
【００３４】
発熱体２１０，２２０は、例えばヒータから構成され、交流電源３００に対して並列に接続されている。本例では、発熱体２１０の電力を７０５Ｗとし、発熱体２２０の電力を１０８０Ｗとしている。発熱体２１０は、スイッチ２５０のオンに基づいて交流電流が流れることにより発熱する。発熱体２２０は、スイッチ２６０のオンに基づいて交流電流が流れることにより発熱する。
【００３５】
メモリ５２は、ＣＰＵ５０に接続され、例えば不揮発性メモリやＨＤＤ等から構成されている。メモリ５２には、画像形成処理や定着処理を実行するための制御プログラムや、定着部２００の定着制御を行う際に用いられる制御テーブルＴＢ等が記憶されている。制御テーブルＴＢの詳細については後述する。
【００３６】
［制御テーブルの構成例］
次に、制御テーブルＴＢの構成例について説明する。図３は、制御テーブルＴＢの構成の一例を示している。なお、図３において、１０８０Ｗは発熱体２１０の電力を示し、７０５Ｗは発熱体２２０の電力を示している。また、制御テーブルＴＢの波形は、商用電源入力の交流波形を示している。
【００３７】
制御テーブルＴＢは、定着部２００の定着制御を行う場合において、設定された優先モードに応じて各発熱体２１０，２２０に供給する交流電流のオン／オフパターンの組み合わせを設定する際に参照されるテーブルである。図３に示すように、制御テーブルＴＢには、所定間隔で設定された複数のデューティー比と、各デューティー比における半波単位でのオン／オフパターンおよび波形と、各発熱体２１０，２２０の各デューティー比におけるフリッカおよび電力効率とが対応付けられて記憶されている。
【００３８】
各デューティー比におけるオン／オフパターン（波形）は、複数個の半波を一つのブロックとして、半波単位での通電／非通電の比率である通電比率に応じて単位時間当たりの発熱体２１０，２２０への供給電力量を制御するものである。オン／オフパターンは、商用電源からの交流入力の正負が発熱体２１０，２２０毎に均等に通電されるように設定されている。
【００３９】
例えば、デューティー比が８８．８９％における波形では、正側の９個の半波のうちオンの回数が８回に設定されると共に負側の９個の半波のうちオンの回数が８回に設定されており、波形の正負が対称となっている。また、例えば、デューティー比が８８．８９％の場合、７０５Ｗの発熱体２１０では、フリッカとして「０．６７５」が設定され、電力効率として「８４．５」が設定されている。また、１０８０Ｗの発熱体２２０では、フリッカとして「１．０２９」が設定され、電力効率として「８４．５」が設定されている。
【００４０】
なお、デューティー比におけるオン／オフパターンは、全波単位で構成しても良い。また、デューティー比としては５７．１４％未満のデューティー比を設定することもできるし、デューティー比の刻み単位を図３よりも多くすることもできる。また、本例では発熱体２１０，２２０として異なる電力量のものを使用しているがこれに限定されることはなく、同一の電力量のものを用いても良い。
【００４１】
［第１の優先モードが選択された場合の画像形成装置の動作例］
次に、本発明の第１の実施の形態に係る画像形成装置１００の動作例について説明する。図４は、第１の優先モードが選択された場合における定着制御を行う際の画像形成装置１００の動作の概要の一例を示している。
【００４２】
図４に示すように、ステップＳ１００で操作表示部７０は、第１の優先モードから第３の優先モードのうち第１の優先モードがユーザ操作により選択されると、選択された第１の優先モードに基づく優先モード情報を受け付けてＣＰＵ５０に供給する。ＣＰＵ５０は、操作表示部７０から優先モード情報を取得する。
【００４３】
ステップＳ１１０で温度センサ２３０は発熱体２１０の温度Ｔ１を検出し、温度センサ２４０は発熱体２２０の温度Ｔ２を検出する。ＣＰＵ５０は、温度センサ２３０から発熱体２１０の温度Ｔ１を取得し、温度センサ２４０から発熱体２２０の温度Ｔ２を取得する。
【００４４】
ステップＳ１２０でＣＰＵ５０は、取得した発熱体２１０の現在の温度Ｔ１と目標温度Ｔａとの差分値Ｄ１を算出すると共に、取得した発熱体２２０の現在の温度Ｔ２と目標温度Ｔｂとの差分値Ｄ２を算出する。なお、目標温度Ｔａ，Ｔｂのデータは、メモリ５２に予め記憶されている。
【００４５】
ステップＳ１３０でＣＰＵ５０は、算出した温度の差分値Ｄ１，Ｄ２を用いて、各発熱体２１０，２２０の現在の温度Ｔ１，Ｔ２を目標温度Ｔａ，Ｔｂに近づける場合に必要となる投入合計電力量（以下、目標消費電力量という）を決定する。つまり、ＣＰＵ５０は、発熱体２１０，２２０に供給する目標消費電力量を決定する。以下では、一例として目標消費電力量が１５００Ｗである場合について説明する。
【００４６】
ステップＳ１４０でＣＰＵ５０は、決定した目標消費電力量に対して、各発熱体２１０，２２０への供給電力量を制御するためのオン／オフパターンの組み合わせを制御テーブルＴＢから複数選択する。このとき、ＣＰＵ５０は、１５００Ｗの目標消費電力量に対して、発熱体２１０，２２０のトータル電力の消費Ｗ数が例えば±２５Ｗ以内となるオン／オフパターンを候補として選択する。
【００４７】
具体的には、ＣＰＵ５０は、図５に示すように、トータル電力の消費Ｗ数が目標消費電力量に対して±２５Ｗ以内となる「発熱体２１０のデューティー比が１００％、発熱体２２０のデューティー比が７１．４３％（以下、Ａパターンという）」、「発熱体２１０のデューティー比が８８．８９％、発熱体２２０のデューティー比が８１．８０％（以下、Ｂパターンという）」および「発熱体２１０のデューティー比が５７．１４％、発熱体２２０のデューティー比が１００％（以下、Ｃパターンという）」の３つのオン／オフパターンを選択する。
【００４８】
図４に戻り、ステップＳ１５０でＣＰＵ５０は、選択した複数のオン／オフパターンの中から、ステップＳ１００で選択された第１の優先モードの条件を満たすオン／オフパターンを選択して設定する。すなわち、目標消費電力量に対して、電力効率が最も高くなる組み合わせとなるオン／オフパターンを、選択した複数のオン／オフパターンの中から選んで設定する。
【００４９】
まず、ＣＰＵ５０は、制御テーブルＴＢから選択したＡパターン、ＢパターンおよびＣパターンのそれぞれのオン／オフパターンにおける電力効率を算出する。各パターンの電力効率は、下記式（１）〜（３）により求めることができる。
【００５０】
電力効率＝実Ｗ数／消費Ｗ数×１００・・・（１）
実Ｗ数＝７０５×発熱体２１０の電力効率＋１０８０×発熱体２２０の電力効率
・・・（２）
消費Ｗ数＝７０５×発熱体２１０のデューティー比＋１０８０×発熱体２２０の
デューティー比・・・（３）
【００５１】
ＣＰＵ５０は、上記式により、図５に示すように、Ａパターンおける発熱体２１０，２２０の電力効率として「９２．３７０５９」を算出し、Ｂパターンにおける発熱体２１０，２２０の電力効率として「９２．７２９７２」を算出し、Ｃパターンにおける発熱体２１０，２２０の電力効率として「９３．７５２７２」を算出する。ＣＰＵ５０は、設定された第１の優先モードが電力効率を優先するモードであるので、算出した３つの電力効率のうち電力効率が最も高くなるＣパターンを各発熱体２１０，２２０への供給電力量を制御するオン／オフパターンとして設定する（図５の網掛け部分）。
【００５２】
ＣＰＵ５０は、Ｃパターンのオン／オフパターンを設定したら、設定したオン／オフパターンに基づいて制御信号Ｓａ，Ｓｂを生成して各スイッチ２５０，２６０に出力することにより各発熱体２１０，２２０の交流電流の通電／非通電を制御する。このようにして、目標消費電力量に対して、最も電力効率の高い定着制御を実現することができる。
【００５３】
なお、図５に示すように、目標消費電力量が１７８５Ｗ、１３００Ｗである場合でも、１５００Ｗの場合と同様の方法により、第１の優先モードに応じたオン／オフパターンを設定することができる（図５の網掛け部分）。また、上記例では、実Ｗ数や消費Ｗ数等をリアルタイムで算出した例について説明したが、実Ｗ数や消費Ｗ数等についてはオン／オフパターンの組み合わせに基づいて予め算出し、算出により得られた値を図３に示した制御テーブルＴＢに対応付けて記憶させておくこともできる。
【００５４】
［第２の優先モードが選択された場合の画像形成装置の動作例］
次に、優先モードとして第２の優先モードが選択された場合における画像形成装置１００の動作例について説明する。なお、図４で説明した画像形成装置１００と共通するステップについては簡略化して説明する。
【００５５】
図６は、第２の優先モードが選択された場合における定着制御を行う際の画像形成装置１００の動作の一例を示すフローチャートである。図７は、目標消費電力量に対して、各発熱体２１０，２２０の供給電力量を制御するためのオン／オフパターンの組み合わせを複数選択した場合における各オン／オフパターンのフリッカを示している。なお、図７において、７０５Ｗは発熱体２１０の電力を示し、１０８０Ｗは発熱体２２０の電力を示している。
【００５６】
図６に示すように、ステップＳ２００で操作表示部７０は、第１の優先モードから第３の優先モードのうち第２の優先モードがユーザ操作により選択されると、選択された第２の優先モードに基づく優先モード情報を受け付けてＣＰＵ５０に供給する。ステップＳ２１０でＣＰＵ５０は、発熱体２１０の現在の温度Ｔ１を温度センサ２３０から取得すると共に、発熱体２２０の現在の温度Ｔ２を温度センサ２４０から取得する。
【００５７】
ステップＳ２２０でＣＰＵ５０は、取得した発熱体２１０の現在の温度Ｔ１と目標温度Ｔａとの差分値Ｄ１を算出すると共に、取得した発熱体２２０の現在の温度Ｔ２と目標温度Ｔｂとの差分値Ｄ２を算出する。ステップＳ２３０でＣＰＵ５０は、算出した各発熱体２１０，２２０の差分値Ｄ１，Ｄ２に基づいて、発熱体２１０，２２０に供給する目標消費電力量を決定する。以下では、一例として目標消費電力量が１５００Ｗである場合について説明する。
【００５８】
ステップＳ２４０でＣＰＵ５０は、決定した１５００Ｗの目標消費電力量に対して、各発熱体２１０，２２０への供給電力量を制御するためのオン／オフパターンの組み合わせを制御テーブルＴＢから複数選択する。このとき、ＣＰＵ５０は、目標消費電力量に対して、発熱体２１０，２２０のトータルの消費Ｗ数が±２５Ｗ以内となるオン／オフパターンを候補として選択する。具体的には、図７に示すように、上述した第１の優先モードの場合と同様に、Ａパターン、ＢパターンおよびＣパターンを選択する。
【００５９】
ステップＳ２５０でＣＰＵ５０は、選択した複数のオン／オフパターンの中から、ステップＳ２００で選択された第２の優先モードの条件を満たすオン／オフパターンを選択して設定する。すなわち、ＣＰＵ５０は、フリッカが最も低くなる組み合わせとなるオン／オフパターンを、選択した複数のオン／オフパターンの中から選んで設定する。
【００６０】
まず、ＣＰＵ５０は、制御テーブルＴＢから選択したＡパターン、ＢパターンおよびＣパターンのそれぞれのオン／オフパターンにおける発熱体２１０，２２０のトータルのフリッカを算出する。図７に示すように、Ａパターンの場合、ＣＰＵ１５０は、発熱体２１０のフリッカとして「０．１５」を制御テーブルＴＢから取得し、発熱体２２０のフリッカとして「０．６３４」を制御テーブルＴＢから取得し、これらの値を加算することにより発熱体２１０，２２０のトータルのフリッカとして「０．７８４」を算出する。
【００６１】
Ｂパターンの場合、ＣＰＵ１５０は、発熱体２１０のフリッカとして「０．６７５」を制御テーブルＴＢから取得し、発熱体２２０のフリッカとして「０．８０６」を制御テーブルＴＢから取得し、これらの値を加算することにより発熱体２１０，２２０のトータルのフリッカとして「１．４８１」を算出する。
【００６２】
Ｃパターンの場合、ＣＰＵ５０は、発熱体２１０のフリッカとして「０．７９５」を制御テーブルＴＢから取得し、発熱体２２０のフリッカとして「０．１５」を制御テーブルＴＢから取得し、これらの値を加算することにより発熱体２１０，２２０のトータルのフリッカとして「０．９４５」を算出する。
【００６３】
ＣＰＵ５０は、設定された第２の優先モードがフリッカを優先するモードであるので、算出した３つのフリッカのうちフリッカの値が最も低くなるＡパターンを発熱体２１０，２２０への供給電力量を制御するためのオン／オフパターンとして設定する（図７の網掛け部分）。
【００６４】
ＣＰＵ５０は、Ａパターンのオン／オフパターンを設定したら、設定したオン／オフパターンに基づいて制御信号Ｓａ，Ｓｂを生成して各スイッチ２５０，２６０に出力することにより各発熱体２１０，２２０の交流電流の通電／非通電を制御する。このようにして、目標消費電力量に対して、最もフリッカが低くなるような定着制御を実現することができる。
【００６５】
なお、図７に示すように、目標消費電力量が１７８５Ｗ、１３００Ｗである場合でも、１５００Ｗの場合と同様の方法により、第２の優先モードに応じたオン／オフパターンを設定することができる（図７の網掛け部分）。
【００６６】
［第３の優先モードが選択された場合の画像形成装置の動作例］
次に、優先モードとして第３の優先モードが選択された場合における画像形成装置１００の動作例について説明する。なお、図４で説明した画像形成装置１００と共通するステップについては簡略化して説明する。
【００６７】
図８は、第３の優先モードが選択された場合における定着制御を行う際の画像形成装置１００の動作の一例を示すフローチャートである。図９は、目標消費電力量に対して、各発熱体２１０，２２０の供給電力量を制御するためのオン／オフパターンの組み合わせを複数選択した場合の各オン／オフパターンにおける電力効率およびフリッカを示している。なお、図９において、７０５Ｗは発熱体２１０の電力を示し、１０８０Ｗは発熱体２２０の電力を示している。
【００６８】
図８に示すように、ステップＳ３００で操作表示部７０は、第１の優先モードから第３の優先モードのうち第３の優先モードがユーザ操作により選択されると、選択された第３の優先モードに基づく優先モード情報を受け付けてＣＰＵ５０に供給する。ステップＳ３１０でＣＰＵ５０は、発熱体２１０の現在の温度Ｔ１を温度センサ２３０から取得すると共に、発熱体２２０の現在の温度Ｔ２を温度センサ２４０から取得する。
【００６９】
ステップＳ３２０でＣＰＵ５０は、取得した発熱体２１０の現在の温度Ｔ１と目標温度Ｔａとの差分値Ｄ１を算出すると共に、取得した発熱体２２０の現在の温度Ｔ２と目標温度Ｔｂとの差分値Ｄ２を算出する。ステップＳ３３０でＣＰＵ５０は、算出した各発熱体２１０，２２０の差分値Ｄ１，Ｄ２に基づいて、発熱体２１０，２２０に供給する目標消費電力量を決定する。以下では、一例として目標消費電力量が１５００Ｗである場合について説明する。
【００７０】
ステップＳ３４０でＣＰＵ５０は、決定した１５００Ｗの目標消費電力量に対して、各発熱体２１０，２２０への供給電力量を制御するためのオン／オフパターンの組み合わせを制御テーブルＴＢから複数選択する。このとき、ＣＰＵ５０は、目標消費電力量に対して、発熱体２１０，２２０のトータルの消費Ｗ数が±２５Ｗ以内となるオン／オフパターンを候補として選択する。具体的には、図９に示すように、上述した第１の優先モードの場合と同様に、Ａパターン、ＢパターンおよびＣパターンを選択する。
【００７１】
ステップＳ３５０でＣＰＵ５０は、選択した複数のオン／オフパターンの中から、ステップＳ３００で選択された第３の優先モードの条件を満たすオン／オフパターンを選択して設定する。すなわち、ＣＰＵ５０は、フリッカが規格内であってかつ電力効率の高い組み合わせとなるオン／オフパターンを、選択した複数のオン／オフパターンの中から選んで設定する。本例においてフリッカの規格は「１以内」である。
【００７２】
ＣＰＵ５０は、図９に示すように、目標消費電力量が１５００Ｗである場合、Ａパターン、ＢパターンおよびＣパターンの中からフリッカ規格の「１以下」の条件を満たすパターンを選択する。Ａパターンのフリッカが「０．７８４」であり、Ｃパターンのフリッカが「０．９４５」であるので、ＣＰＵ５０はフリッカ規格を満たすオン／オフパターンとしてＡパターンおよびＣパターンを選択する。
【００７３】
次に、ＣＰＵ５０は、ＡパターンおよびＣパターンのうち電力効率が最も高い数値を示すオン／オフパターンを選択する。ＣＰＵ５０は、図９に示すように、Ａパターンの電力効率が「９２．３７０５９」であり、Ｃパターンの電力効率が「９３．７５２７２」であるため、電力効率が最も高いオン／オフパターンの組み合わせとしてＣパターンを選択して設定する（図９の網掛け部分）。
【００７４】
ＣＰＵ５０は、Ｃパターンのオン／オフパターンを設定したら、設定したオン／オフパターンに基づいて制御信号Ｓａ，Ｓｂを生成して各スイッチ２５０，２６０に出力することにより各発熱体２１０，２２０の交流電流の通電／非通電を制御する。これにより、目標消費電力量に対して、フリッカが規格内であってかつ電力効率が高くなるような定着制御を実現することができる。
【００７５】
なお、図９に示すように、目標消費電力量が１７８５Ｗ、１３００Ｗである場合でも、１５００Ｗの場合と同様の方法により、第３の優先モードに応じたオン／オフパターンを設定することができる（図９の網掛け部分）。
【００７６】
以上説明したように、第１の実施の形態によれば、選択された優先モードに応じた各発熱体２１０，２２０に対するオン／オフパターンを設定することができるので、ユーザの用途や目的にあった定着制御を行うことができる。例えば、第１の優先モードを設定した場合には、高い電力効率で複数の発熱体２１０，２２０による定着制御を行うことができる。これにより、省エネを図ることができる。第２の優先モードを設定した場合には、周囲の例えば照明や電気機器等のちらつき（フリッカ）を低減させることができる。第３の優先モードを設定した場合には、フリッカを規格内に低減させるのと同時に高い電力効率を実現することができる。さらに、第１の実施の形態によれば、各国において規制（例えばフリッカ等の有無）が異なる場合等においても、優先モードの設定を変更するだけで、電力効率優先か、フリッカ優先か等を切り替えることができる。これにより、柔軟かつ容易に各国の規制に対応することができる。
【００７７】
＜第２の実施の形態＞
第２の実施の形態では、各優先モードの条件を満たす発熱体２１０，２２０のオン／オフパターンを予め制御テーブルＴＢ１、ＴＢ２，ＴＢ３に記憶したものを用いて定着制御を行う点において上記第１の実施の形態と相違している。なお、その他の定着部２００を含む画像形成装置１００の構成および動作等は、上記第１の実施の形態と同様であるため、共通の構成要素には同一の符号を付し、詳細な説明は省略する。
【００７８】
［制御テーブルの構成例］
まず、第２の実施の形態の定着制御を行う際に用いる制御テーブルＴＢ１，ＴＢ２，ＴＢ３の構成例について説明する。図１０Ａは制御テーブルＴＢ１の構成の一例を示し、図１０Ｂは制御テーブルＴＢ２の構成の一例を示し、図１０Ｃは制御テーブルＴＢ３の構成の一例を示している。本例では、制御テーブルＴＢ１、ＴＢ２，ＴＢ３を別々の構成としているが、一つのテーブルにより構成することもできる。図１０Ａ〜図１０Ｃにおいて、７０５Ｗは発熱体２１０の電力を示し、１０８０Ｗは発熱体２２０の電力を示している。
【００７９】
なお、図１０Ａ〜図１０Ｃでは、第１の実施の形態の図３で示したオン／オフパターンの波形等の説明は便宜上省略している。また、図１０Ａ〜図１０Ｃでは、目標ヒータＷ数に対する最も電力効率が高くなる組み合わせのオン／オフパターンとして代表して、１７８５Ｗ、１５００Ｗ、１３００Ｗの３つの例を挙げているが、実際には、１Ｗ刻みや数Ｗ刻みで目標消費電力量が設定され、設定された各目標消費電力量に対する電力効率やフリッカが制御テーブルＴＢに対応付けられて記憶されているものとする。
【００８０】
＜制御テーブルＴＢ１＞
制御テーブルＴＢ１は、第１の優先モードが選択された場合に用いられるテーブルである。制御テーブルＴＢ１には、図１０Ａに示すように、各目標消費電力量と、各目標消費電力量に対して最も電力効率が高くなる組み合わせとなるように設定された発熱体２１０，２２０のデューティー比（オン／オフパターン）とが対応付けられて記憶されている。本例では、電力効率が最も高くなるオン／オフパターンを第１の実施の形態で説明した計算式等を用いて予め決定し、決定したオン／オフパターンを制御テーブルＴＢ１に記憶している。
【００８１】
例えば、目標消費電力量が１５００Ｗである場合、最も高くなる電力効率が「９３．７５２７２」となるので（図５参照）、この電力効率に対応するオン／オフパターンとして「７０５Ｗの発熱体２１０のデューティー比が５７．１４％、１０８０Ｗの発熱体２２０のデューティー比が１００％」が対応付けられて記憶される。
【００８２】
＜制御テーブルＴＢ２＞
制御テーブルＴＢ２は、第２の優先モードが選択された場合に用いられるテーブルである。制御テーブルＴＢ２には、図１０Ｂに示すように、各目標消費電力量と、各目標消費電力量に対して最もフリッカが低くなる組み合わせとなるように設定された発熱体２１０，２２０のデューティー比（オン／オフパターン）とが対応付けられて記憶されている。本例では、上述したように、フリッカが最も低くなるオン／オフパターンを第１の実施の形態で説明した計算式等を用いて予め決定し、決定したオン／オフパターンを制御テーブルＴＢ２に記憶している。
【００８３】
例えば、目標消費電力量が１５００Ｗである場合には、最も低くなるフリッカが「０．７８４」となるので（図７参照）、このフリッカに対応するオン／オフパターンとして「７０５Ｗの発熱体２１０のデューティー比が１００％、１０８０Ｗの発熱体２２０のデューティー比が７１．４３％」が対応付けられて記憶される。
【００８４】
＜制御テーブルＴＢ３＞
制御テーブルＴＢ３は、第３の優先モードが選択された場合に用いられるテーブルである。制御テーブルＴＢ３には、図１０Ｃに示すように、各目標消費電力量と、各目標消費電力量に対してフリッカが規格内であってかつ電力効率の高い組み合わせとなるように設定された発熱体２１０，２２０のデューティー比（オン／オフパターン）とが対応付けられて記憶されている。本例では、フリッカが規格内であってかつ電力効率の高くなるオン／オフパターンを第１の実施の形態で説明した計算式等を用いて予め決定し、決定したオン／オフパターンを制御テーブルＴＢ３に記憶している。
【００８５】
例えば、目標消費電力量が１５００Ｗである場合には、フリッカが規格内であってかつ電力効率の高い組み合わせのオン／オフパターンとして「７０５Ｗの発熱体２１０のデューティー比が５７．１４％、１０８０Ｗの発熱体２２０のデューティー比が１００％」が対応付けられて記憶される。
【００８６】
［第１の優先モードが選択された場合の画像形成装置の動作例］
次に、第２の実施の形態に係る定着制御を行う場合における画像形成装置１００の動作例について説明する。まず、優先モードとして第１の優先モードが選択された場合における画像形成装置１００の動作例について説明する。図１１は、第１の優先モードが選択された場合における画像形成装置１００の動作の一例を示すフローチャートである。なお、ステップＳ４００〜Ｓ４３０までの処理は、上記第１の実施の形態で説明した図４のステップＳ１００〜Ｓ１３０と同様であるので、共通するステップについては簡単に説明する。
【００８７】
図１１に示すように、ステップＳ４００で操作表示部７０は、第１の優先モードから第３の優先モードのうち第１の優先モードがユーザ操作により選択されると、選択された第１の優先モードに基づく優先モード情報を受け付けてＣＰＵ５０に供給する。ステップＳ４１０で、温度センサ２３０は発熱体２１０の現在の温度Ｔ１を検出してＣＰＵ５０に供給し、温度センサ２４０は現在の発熱体２２０の温度Ｔ２を検出してＣＰＵ５０に供給する。
【００８８】
ステップＳ４２０でＣＰＵ５０は、取得した発熱体２１０の現在の温度Ｔ１と目標温度Ｔａとの差分値Ｄ１を算出すると共に、取得した発熱体２２０の現在の温度Ｔ２と目標温度Ｔｂとの差分値Ｄ２を算出する。ステップＳ４３０でＣＰＵ５０は、算出した各発熱体２１０，２２０の差分値Ｄ１，Ｄ２に基づいて目標消費電力量を決定する。
【００８９】
ステップＳ４４０でＣＰＵ５０は、決定した目標消費電力量に対して、電力効率が最も高くなる組み合わせとなる各発熱体２１０，２２０への供給電力量を制御するためのオン／オフパターンを制御テーブルＴＢ１から取得（選択）する。ＣＰＵ５０は、例えば目標消費電力量が１５００Ｗである場合、図１０Ａに示したように、制御テーブルＴＢ１から「発熱体２１０のデューティー比が５７．１４％、発熱体２２０のデューティー比が１００％に対応するオン／オフパターン」を取得する。
【００９０】
ＣＰＵ５０は、取得したオン／オフパターンを各発熱体２１０，２２０への供給電力量を制御するためのオン／オフパターンとして設定し、設定したオン／オフパターンに基づいて制御信号Ｓａ，Ｓｂを生成して各スイッチ２５０，２６０に出力することにより各発熱体２１０，２２０の交流電流の通電／非通電を制御する。これにより、目標消費電力量に対して、最も電力効率の高い定着制御を実現することができる。
【００９１】
[第２の優先モードが選択された場合の画像形成装置の動作例]
次に、優先モードとして第２の優先モードが選択された場合における画像形成装置１００の動作例について説明する。図１２は、第２の優先モードが選択された場合における画像形成装置１００の動作の一例を示すフローチャートである。なお、ステップＳ５００〜Ｓ５３０までの処理は、上記第１の実施の形態で説明した図４のステップＳ１００〜Ｓ１３０と同様であるので、共通するステップについては簡略化して説明する。
【００９２】
図１２に示すように、ステップＳ５００で操作表示部７０は、第１の優先モードから第３の優先モードのうち第２の優先モードがユーザ操作により選択されると、選択された第２の優先モードに基づく優先モード情報を受け付けてＣＰＵ５０に供給する。ステップＳ５１０で、温度センサ２３０は発熱体２１０の現在の温度Ｔ１を検出してＣＰＵ５０に供給し、温度センサ２４０は現在の発熱体２２０の温度Ｔ２を検出してＣＰＵ５０に供給する。
【００９３】
ステップＳ５２０でＣＰＵ５０は、取得した発熱体２１０の現在の温度Ｔ１と目標温度Ｔａとの差分値Ｄ１を算出すると共に、取得した発熱体２２０の現在の温度Ｔ２と目標温度Ｔｂとの差分値Ｄ２を算出する。ステップＳ５３０でＣＰＵ５０は、算出した各発熱体２１０，２２０の差分値Ｄ１，Ｄ２に基づいて目標消費電力量を決定する。
【００９４】
ステップＳ５４０でＣＰＵ５０は、決定した目標消費電力量に対して、フリッカが最も低くなる各発熱体２１０，２２０への供給電力量を制御するためのオン／オフパターンを制御テーブルＴＢ２から取得する。ＣＰＵ５０は、例えば目標消費電力量が１５００Ｗである場合、図１０Ｂに示したように、制御テーブルＴＢ２から「発熱体２１０のデューティー比が１００％、発熱体２２０のデューティー比が７１．４３％」のオン／オフパターンを取得する。
【００９５】
ＣＰＵ５０は、取得したオン／オフパターンを各発熱体２１０，２２０への供給電力量を制御するためのオン／オフパターンとして設定し、設定したオン／オフパターンに基づいて制御信号Ｓａ，Ｓｂを生成して各スイッチ２５０，２６０に出力することにより各発熱体２１０，２２０の交流電流の通電／非通電を制御する。これにより、目標消費電力量に対して、最もフリッカの低い定着制御を実現することができる。
【００９６】
［第３の優先モードが選択された場合の画像形成装置の動作例］
次に、優先モードとして第３の優先モードが選択された場合における画像形成装置１００の動作例について説明する。図１３は、第３の優先モードが選択された場合における画像形成装置１００の動作の一例を示すフローチャートである。なお、ステップＳ６００〜Ｓ６３０までの処理は、上記第１の実施の形態で説明した図４のステップＳ１００〜Ｓ１３０と同様であるので、共通するステップについては簡略化して説明する。
【００９７】
図１３に示すように、ステップＳ６００で操作表示部７０は、第１の優先モードから第３の優先モードのうち第３の優先モードがユーザ操作により選択されると、選択された第３の優先モードに基づく優先モード情報を受け付けてＣＰＵ５０に供給する。ステップＳ６１０で、温度センサ２３０は発熱体２１０の現在の温度Ｔ１を検出してＣＰＵ５０に供給し、温度センサ２４０は現在の発熱体２２０の温度Ｔ２を検出してＣＰＵ５０に供給する。
【００９８】
ステップＳ６２０でＣＰＵ５０は、取得した発熱体２１０の現在の温度Ｔ１と目標温度Ｔａとの差分値Ｄ１を算出すると共に、取得した発熱体２２０の現在の温度Ｔ２と目標温度Ｔｂとの差分値Ｄ２を算出する。ステップＳ６３０でＣＰＵ５０は、算出した各発熱体２１０，２２０の差分値Ｄ１，Ｄ２に基づいて目標消費電力量を決定する。
【００９９】
ステップＳ６４０でＣＰＵ５０は、決定した目標消費電力量に対して、フリッカが規格内であってかつ電力効率の高くなる各発熱体２１０，２２０への供給電力量を制御するためのオン／オフパターンを制御テーブルＴＢ３から取得する。ＣＰＵ５０は、例えば目標消費電力量が１５００Ｗである場合、図１０Ｃに示したように、制御テーブルＴＢ３から「発熱体２１０のデューティー比が５７．１４％、発熱体２２０のデューティー比が１００％」のオン／オフパターンを取得する。
【０１００】
ＣＰＵ５０は、取得したオン／オフパターンを各発熱体２１０，２２０への供給電力量を制御するためのオン／オフパターンとして設定し、設定したオン／オフパターンに基づいて制御信号Ｓａ，Ｓｂを生成して各スイッチ２５０，２６０に出力することにより各発熱体２１０，２２０の交流電流の通電／非通電を制御する。これにより、目標消費電力量に対して、フリッカが規格内であってかつ電力効率の高い定着制御を実現することができる。
【０１０１】
以上説明したように、第２の実施の形態によっても、上記第１の実施の形態と同様の作用効果を奏することができる。また、第２の実施の形態によれば、目標消費電力量に対して、第１から第３の優先モードの条件を満たすオン／オフパターンを予め制御テーブルＴＢ１〜ＴＢ３のそれぞれに記憶させている。そのため、優先モードに対応した発熱体２１０，２２０に対するオン／オフパターンを計算によりリアルタイムで算出する場合と比べて、オン／オフパターンの設定時間の短縮を図ることができる。
【０１０２】
なお、本発明の技術範囲は、上述した実施形態に限定されるものではなく、本発明の趣旨を逸脱しない範囲において、上述した実施形態に種々の変更を加えたものを含む。例えば、上記実施の形態では、優先モードとして、第１から第３の優先モードについて説明したが、これに限定されることはなく、定着制御に関する他の優先モードを設けることもできる。
【符号の説明】
【０１０３】
５０  ＣＰＵ（制御部）
２００  定着部
２１０，２２０  発熱体
２３０，２４０  温度センサ（温度検出部）
ＴＢ，ＴＢ１，ＴＢ２，ＴＢ３  制御テーブル（テーブル）
【図１】
2015011313.tif 000003
【図２】
2015011313.tif 000004
【図３】
2015011313.tif 000005
【図４】
2015011313.tif 000006
【図５】
2015011313.tif 000007
【図６】
2015011313.tif 000008
【図７】
2015011313.tif 000009
【図８】
2015011313.tif 000010
【図９】
2015011313.tif 000011
【図１０】
2015011313.tif 000012
【図１１】
2015011313.tif 000013
【図１２】
2015011313.tif 000014
【図１３】
2015011313.tif 000015